Podtech/llm-jp-corpus-v4-ja_patent huggingface dataset:
(57)【要約】【課題】鼻の中の鼻くそを取り除く場合、従来では手の指を差し入れて取り除くか、ティッシュペーパーを丸めて鼻の中にいれて取り除くか、あるいはティッシュペーパーに鼻をかんで取り除くしかできなかった。【解決手段】指でつまむことの出来る器具本体１、柔軟性のある支え２および鼻くそを引っ掛ける輪３である。【選択図】図１
2006141912.tif 000002
【特許請求の範囲】
【請求項１】
鼻の中の鼻くそを容易に、安全に引っ掛けて取り除くことを特徴とする器具。
【請求項２】
前記器具は、先端部分に設けられた楕円状の中空の輪を特徴とする請求項１記載の器具。
【請求項３】
前記器具は、金属で柔軟性な支えを持つことを特徴とする請求項１記載の器具。
【発明の詳細な説明】
【技術分野】
【０００１】  この発明は、鼻の中の鼻くそを容易に、安全に引っ掛けて取り除く器具の形状に関する。
【背景技術】
【０００２】  従来の鼻の中の鼻くそを取り除くには、手の指を入れて取り除くか、ティッシュペーパーを丸めて鼻の中に入れて取り除くか、ティッシュペーパーで鼻をかむかである。
【発明の開示】
【発明が解決しようとする課題】
【０００３】しかしながら、以上の技術によれば、鼻の奥まで手の指が入らず取りにくい、また鼻にティッシュペーパーを丸めて入れる場合や、あるいはティッシュペーパーにかむ場合でも十分に取り除くことができない。そこで、この発明は、鼻の中の鼻くそを奥まで安全に引っ掛けて取り除くことを提供することを課題とする。
【課題を解決するための手段】
【０００４】  以上の課題を解決するために、第一発明は、鼻くそを引っ掛けて取り除くことを特徴とする器具。
また、第二発明は、柔軟性のある金属の支えを特徴とする器具である。第三発明は、先端部分が楕円状で安全な形状を特徴とする器具である。
【発明の効果】
【０００５】  第一発明、第二発明または第三発明によれば、鼻の中の鼻くそを引っ掛けて、容易に安全に取り除くことができる。
【発明を実施するための最良の形態】
【０００６】  この発明の一実施形態を、図１に示す。
器具の本体１は円形のプラスチック製であり、この本体１の先端には、金属製の支え２と楕円状の輪３が一体的に設けられている。【０００７】「実施形態の効果」
この実施形態によれば、先端の輪３に引っ掛けて鼻の中の鼻くそを容易に取り除くことができる。【０００８】「他の実施形態」
図１の実施形態では、先端部分の輪の形状は円形でもよい、また、大きさは自由であり、支えの長さも自由であり他の実施形態では、本体の形は円形でも六角形でもよい。
【図面の簡単な説明】
【０００９】また、この器具を鼻の中に入れ、鼻くそを引っ掛けて取り除くことが容易である。【図１】この発明の一実施形態を示す斜視図である。
【符号の説明】
【００１０】  １  器具本体      ２  支え      ３  輪
【図１】
2006141912.tif 000003
(57)【要約】【課題】  従来の粘着ロールクリーナーは、ロール切れ目付近に付着した髪の毛等の障害物が妨げとなり切れ目が見づらく、障害物を手で取り除かなければならなかったため不衛生で、使用済みテープを剥がすのが困難であった。【解決手段】ロールの断面を通過し切れ目付近の髪の毛等障害物を取り除ける棒状のカットレバーをロールクリーナーに装備することにより、手を使わず障害物を取り除け、テープを剥がし易くなった。ロールの一部が切断してあるＣ型粘着テープロールを使用することによりカットレバーの通過を可能としたほか、ロールの切れ目も見やすくなった。【選択図】    図８
2006141924.tif 000002
【特許請求の範囲】
【請求項１】
髪の毛除去機能をもつカットレバーの装着を特徴とするロールクリーナー。
【請求項２】
カットレバーの通過を可能にするため断面がＣ型になる切れ目を入れた粘着テープロール。
【発明の詳細な説明】
【技術分野】
【０００１】本発明は、従来の断面がＯ型である粘着ロールをＣ型に変更し使用することにより、髪の毛除去カットレバーを新しい機能として取付けることを可能にしたロールクリーナーであり、使用済み粘着テープを剥がし易くした器具である。
【背景技術】
【０００２】従来は、断面がＯ型の粘着ロールテープを取っ手のついた筒状のクリーナーにはめ込み、軸を中心に転がし粘着部にゴミを付着させるものであった。
【発明の開示】
【発明が解決しようとする課題】
【０００３】従来のロールクリーナーの粘着テープは、ミシン目や非粘着部を設けることによりテープを剥がす足がかりはつかみ易くなったものの、ミシン目や非粘着部を横断して貼り付いている髪の毛や糸くずが妨げとなり、それ等を手で剥がす作業が必要なため、面倒で不衛生であった。またテープの切れ目が見えにくく、ミシン目どおりに剥がれにくい欠点もあった。
【課題を解決するための手段】
【０００４】筒状のクリーナー本体に棒状のプラスチックのカットレバーを装着し、レバーを持ち上げることにより、テープの切れ目を横断している髪の毛等の障害物を取り除くことが可能になった。これにより、使用済みの粘着テープが、障害物の妨げなしに一気に、剥しやすくなった。
また、レバーが粘着テープの断面を通過できるよう粘着テープの断面をＯ型からＣ型に変更した。Ｃ型粘着テープは、本体へのグリップ力を高めるためテープロール芯を強化し、使用済みのテープを剥しやすくするため非粘着部を設けてある。またこのＣ型ロールテープは交換可能である。
【発明の効果】
【０００５】使用済み粘着テープを剥がす際、手を使わず障害物を取り除け、簡単で衛生的になった。
Ｃ型粘着テープは前もって切れ目が切断してあるため、高齢者や目の不自由な人でも見やすく扱いやすくなった。
【発明を実施するための最良の形態】
【０００６】（イ）カットレバーを装着する本体（１）と断面がＣ型に切断された粘着テープ（２）からなる。
（ロ）持ち上がるカットレバーは、クリーナーとして使用中に回転による遠心力で外れないように、つまみ部分付近に小さな凸凹をつける。
（ハ）Ｃ型テープロールは、切断面の広がりを抑えるため芯の強度を高める。
本発明は以上のような構成で、これを使用するときは、クランク状や棒状のグリップの付いた補助具に挿入し、軸を中心に回転させ、ゴミを付着させる粘着ロールクリーナーとして用いる。
【図面の簡単な説明】
【０００７】
【図１】  本発明の正面図
【図２】  本発明の平面図
【図３】  本発明の右側面図
【図４】  本発明の左側面図
【図５】  Ａ−Ａ’断面図
【図６】  Ｂ−Ｂ’断面図
【図７】  使用説明正面図
【図８】  使用説明図
【符号の説明】
【０００８】            １  粘着部
２  非粘着部
３  カットレバー
４  本体
５  粘着テープロール
６  テープロール芯
７  軸パイプ挿入口
８  軸パイプ出口
９  軸パイプ
１０  軸パイプグリップ
【図１】
2006141924.tif 000003
【図２】
2006141924.tif 000004
【図３】
2006141924.tif 000005
【図４】
2006141924.tif 000006
【図５】
2006141924.tif 000007
【図６】
2006141924.tif 000008
【図７】
2006141924.tif 000009
【図８】
2006141924.tif 000010
(57)【要約】【課題】  呼吸や会話が楽にでき持ち運びにも適したマスクを提供する。【解決手段】  マスクまたはマスクの取り替えシートの本体部分に芯を入れる。【選択図】  図１
2006141922.tif 000002
【特許請求の範囲】
【請求項１】
マスクまたはマスクの取り替えシートの本体部分に芯を入れたマスク。
【発明の詳細な説明】
【発明の詳細な説明】
【技術分野】
【０００１】  本発明は、マスクに関するものである。
【背景技術】
【０００２】  従来マスクは、ガーゼ素材の芯の入っていないものや、使い捨てマスクの端にワイヤーをいれたり立体型にしたものであった。
【発明が解決しようとする課題】
【０００３】  従来のマスクは、ガーゼ素材のものや端にワイヤーを入れたものは、息苦しく話しにくい、立体型にしたものは、持ち運びした場合形状を保ちにくい等の問題点があった。
【０００４】  本発明は、従来の技術の有するこのような問題点に鑑みてなされたものであり、その目的とするところは、呼吸や会話が楽にでき持ち運びにも適したマスクを提供しようとするものである。
【課題を解決するための手段】
【０００５】  上記目的を達成するために、本発明は、マスクまたはマスクの取り替えシートの本体部分に芯を入れたのである。
【発明を実施するための最良の形態】
【０００６】  発明の実施の形態を実施例に基づき図面を参照して説明する。
図１のように、マスク本体部分１に芯３を入れる。【０００７】  または図２のようにマスクの取り替えシート本体部分２に芯３を入れる。【０００８】  マスク本体のみで使用するマスクの場合、マスク本体部分に芯を入れる。【０００９】  マスク本体に芯が入っていないマスクを使用する場合、マスクの取り替えシート本体部分に芯を入れたものをマスクの内側に入れて使用する。【００１０】  芯は、ネット状のものを用いても、ワイヤー状のものを１本以上用いてもよい。
【発明の効果】
【００１１】  本発明は、以上説明したように構成されているので、以下に記載されるような効果を奏する。
【００１２】  マスクを使用中でも、息苦しくなりにくい。
【００１３】  マスクを使用中でも、はっきりと話せる。
【００１４】  マスクを使用しない時も、鞄やポケット等に収納しやすい。
【図面の簡単な説明】
【図１】  本発明マスクの実施例の斜視図である。
【図２】  本発明マスクの取り替えシートの実施例の斜視図である。
【符号の説明】
１  マスク本体部分
２  マスクの取り替えシート本体部分
３  芯
【図１】
2006141922.tif 000003
【図２】
2006141922.tif 000004
(57)【要約】      （修正有）【課題】鍋でなにかをゆでていて、それをかき混ぜるときに沸騰した中身の蒸気で腕をやけどするという不都合を解決する事。【解決手段】鍋のふたのとっての裏にＬ字の歯をとりつけて鍋の外のハンドルとつないだ事により、この課題を解決する。【選択図】    図１
2006141928.tif 000002
【特許請求の範囲】
【請求項１】
鍋のふたのとっての裏に鍋の中身の具をかき混ぜることのできるＬ字のものをとりつけてそれと鍋の外のハンドルとをつないだことを特徴とするもの。
【発明の詳細な説明】
【技術分野】
【０００１】  本発明は、鍋に関するものであり、鍋のふたのとっての裏に工夫を加える事によって、鍋のふたを開けなくても中身がかき混ぜれるようにしたものである。
（背景技術）【０００２】  従来から、キッチン用品として、鍋は使用されていた。
（発明の開示）
（発明が解決しようとする課題）【０００３】  しかし、従来のような形の鍋だと、鍋の中身を混ぜるためにふたをあけて、煮立った中身の蒸気を腕に当てて熱い思いをして非常に不便でした。本発明はそのような不都合を解決する事を課題とする。
（課題を解決するための手段）【０００４】  この課題を解決するための発明は、鍋のふたのとっての裏にＬ字の歯をとりつけて鍋の外のハンドルとつないだ事を特徴とする、やけど防止鍋である。鍋のふたを閉めたまま外のハンドルで鍋の中身をかき混ぜれることにより、腕に熱い蒸気があたる事を防止できる。
（発明の効果）【０００５】  本発明により、煮立った鍋のふたを開けてやけどするという不都合はおきない。
（発明を実施するための最良の形態）【０００６】  図１は、鍋のふたのとっての裏にＬ字の歯をとりつけて鍋の外のハンドルとつないだ事を特徴とする、やけど防止鍋の断面図である。同図に示すように、ふたのとってを工夫する事によって、ふたをあけないでも鍋の中身を混ぜる事ができるので、やけどを防止する事ができる。【０００７】  これら鍋の材料は、鍋自体は一般にでまわっている素材でよい。図１の１の歯の部分は変形しにくい金属などのものでよく、２のハンドルは熱くなりにくい木やプラスチックでよい。
（産業上の利用可能性）【０００８】  本発明に係る鍋は、工業的に生産するこが可能であるため、産業上の利用可能性を有する。
【図面の簡単な説明】
【０００９】    （図１）
とってのふたの裏にＬ字の歯をとりつけて外のハンドルとつなげだ鍋の断面図
【符号の説明】
【００１０】１  Ｌ字の歯
２  ハンドル
【図１】
2006141928.tif 000003
(57)【要約】【課題】  飲食器を洗浄したとき、高台の部分に水が溜まらず、速やかに乾燥できる飲食器の構造にかかわる。【課題を解決するための手段】  高台のついた飲食器において、該高台凹部底面に傾斜をつけてなると共に、該飲食器を伏せて置いた時、該凹部底面の最も低い位置に、該高台頂面から該高台の底面まで達する切欠を設けてなることを特徴とする。【選択図】図１
2006141930.tif 000002
【特許請求の範囲】
【請求項１】
高台のついた飲食器において、該高台凹部底面に傾斜をつけてなると共に、該飲食器を伏せて置いた時、該凹部底面の最も低い位置に、該高台頂面から該高台の底面まで達する切欠を設けてなることを特徴とする飲食器。
【請求項２】
上記飲食器が陶磁器製である請求項１に記載の飲食器。
【請求項３】
上記飲食器が樹脂製である請求項１に記載の飲食器。
【請求項４】
上記飲食器がガラス製である請求項１に記載の飲食器。
【発明の詳細な説明】
【技術分野】
【０００１】  本発明は、飲食器の構造に係わり、更に詳しくは、飲食器を洗浄したとき、高台の部分に水が溜まらず、速やかに乾燥できる飲食器の高台の構造にかかわるものである。
【背景技術】
【０００２】  飲食器をテーブルに載置する時、安定をよくして倒れないようにするために、通常、底にリング状に盛り上がった構造の高台（あるいは浜）と称せられる台がついている。
陶磁器製の飲食器では、施釉して焼成するとき、溶けた釉薬が棚板とくっつかないようにするために、高台周囲の頂面、つまり陶磁器を立てたとき、底になる面には釉薬はつけずに焼くのが通例である。したがって陶磁器焼成時、釉薬が棚板にくっつくのを防ぐためにも、高台は不可欠である。つまり高台は、飲食器の倒立防止と棚板への融着防止、この二つの機能を持っている。
高台は図５に示したような凹構造である。
飲食器は洗ったとき、通常伏せて置く。この時、高台の凹部に水が溜まり、この部分が最後まで乾燥しない。昨今、飲食器の自動洗浄が普及しており、洗浄、乾燥を自動で行えるようになってきたが、この高台にたまった水が乾かないために、乾燥にかかる時間をいたずらに長くしている。
従来の高台の構造には以上のような問題点が存在している。高台にたまる水をすばやく除去できる飲食器、つまり高台の水はけを良くする構造が求められているのが現状である。「陶磁器」、「高台」のキーワードで特許検索すると、過去に３件の実用新案（特許文献１〜３）が存在するが、いずれにも高台の水はけ構造に関する発明、考案は存在しないのが現状である。【０００３】
【特許文献１】実公平７−０５５０６８
【特許文献２】実公平４−００４６１１
【特許文献３】実公昭６３−００７４９７
【発明の開示】
【発明が解決しようとする課題】
【０００４】  本発明はかかる状況に鑑みてなされたもので、その目的は、飲食器の高台に水をためない、水はけの良い構造の飲食器を提供せんとするものである。
【課題を解決するための手段】
【０００５】  本発明者は上記課題に関して鋭意研究を行い下記の知見を得た。
すなわち、
高台のついた飲食器の高台凹部底面に傾斜をつけ、飲食器を伏せて置いた時、凹部底面の最も低い位置に、高台頂面から高台の底面まで達する切欠を設けると、高台に溜まった水は切欠部から外に流れ落ち、高台には水がたまらないことを見出した。
本発明は以上の知見に基づいてなされたもので下記の構成からなる。【０００６】１．高台のついた飲食器において、該高台底面に傾斜をつけてなると共に、該飲食器を伏    せて置いた時、該高台周囲の該底面の最も低い位置に、該高台の底面まで達する切欠    を設けてなることを特徴とする飲食器。
２．上記飲食器が陶磁器製である上記１に記載の飲食器。
３．上記飲食器が樹脂製である上記１に記載の飲食器。
４．上記飲食器がガラス製である上記１に記載の飲食器。
【発明の効果】
【０００７】１．洗浄後、高台の底に水がたまらず、すばやく乾燥できる。
２．きわめて簡単な構造で、経済的に安価に製造できる。
【発明を実施するための形態】
【０００８】  図面によって本発明の構造を説明する。
図１〜４は本発明飲食器を伏せて置いた時の構造の説明図である。
第１図は斜視図、第２図は第１図のＡ−Ａ断面、Ｂ−Ｂ断面の位置の説明図、第３図はＡ−Ａ断面図、第４図はＢ−Ｂ断面図である。
【０００９】  本発明飲食器の凹部底面は傾斜しており、この傾斜面の最も低い位置の高台に、高台の頂面から底面まで達する切欠が形成されている。図３は凹部底面の傾斜の状況を説明する図である。図１は切欠の構造を説明した図である。
高台底面に溜まった水は、傾斜面を流れて、切欠部から外に流れでるので、凹部には水が溜まることはない。
切欠の形状には特別な制約は無いが、少なくとも切欠の深さが高台の頂面から凹面の底まで達するように形成されておればよい。凹面まで達していない場合、この部分に水が溜まるので好ましくない。
【００１０】  本発明は、陶磁器製に限定されるものではなく、その他樹脂製、ガラス製でも良い。
又少なくとも高台を持つ飲食器には全て適用できるものであり、そのデザイン形状には何ら制約はない。
【産業上の利用可能性】
【００１１】  すぐ乾く飲食器として、家庭用、業務用を問わず有効に活用できる。
【図面の簡単な説明】
【００１２】
【図１】本発明実施例の斜視図である。
【図２】図１のＡ−Ａ断面、Ｂ−Ｂ断面の位置の説明図である。
【図３】図１のＡ−Ａ断面である。
【図４】図１のＢ−Ｂ断面である。
【図５】従来構造の説明図である。
【図１】
2006141930.tif 000003
【図２】
2006141930.tif 000004
【図３】
2006141930.tif 000005
【図４】
2006141930.tif 000006
【図５】
2006141930.tif 000007
(57)【要約】【課題】  解決しようとする問題点は、ひび、あかぎれ等の創傷治癒促進を目的とした外用貼付剤の開発をすることが発明が解決しようとする課題である。【解決手段】  本発明は、ひび、あかぎれ等の創傷治癒促進を目的とした外用貼付剤であり、当該外用貼付剤を人足の踵を覆う形状とし、且つ外用貼付剤の基布を伸縮性を有するものとすることを課題を解決するための手段としている。【選択図】    図１
2006141929.tif 000002
【特許請求の範囲】
【請求項１】
基布を人足の踵を覆う形状に成形してなる外用貼付剤。
【請求項２】
伸縮性を有する基布を人足の踵を覆う形状に成形すると共に、当該基布の内面には創傷治癒促進剤の層を設けてなる外用貼付剤。
【発明の詳細な説明】
【技術分野】
【０００１】  本発明は、外用貼付剤に関するものであり、特に人足の踵に発症するひび、あかぎれ等の創傷治癒促進を目的とした外用貼付剤に関するものである。
【背景技術】
【０００２】  従来より肩こり等の消炎鎮痛を目的とした外用貼付剤は数多く市販されているのは周知である。しかし、人足の踵に発症するあかぎれ、ひび等の創傷治癒の促進を目的とした外用貼付剤は現在のところ市販されていない。冬季になると特に高齢者の踵には、あかぎれ、ひび等が発症するが、グリセリン等を主体とした創傷治癒促進の軟膏を塗布するしか方法はなかった。しかし、あかぎれが発症した部位は露出させておくと痛みが伴う。従って痛みを抑えるためにあかぎれに軟膏を塗布し、当該部位を適宜のテープを貼付して覆っておく程度のことが現状である。また踵の部位は平面ではなく、丸みを帯びた形状であるので、従来の肩こり、腰痛等に用いられている外用貼付剤のように、平面的なシートでは人足の踵には利用し難いという問題がある。
【発明の開示】
【発明が解決しようとする課題】
【０００３】  解決しようとする問題点は、ひび、あかぎれ等の創傷治癒促進を目的とした外用貼付剤の開発をすることが発明が解決しようとする課題である。
【課題を解決するための手段】
【０００４】  本発明は、ひび、あかぎれ等の創傷治癒促進を目的とした外用貼付剤であり、当該外用貼付剤を人足の踵を覆う形状とし、且つ外用貼付剤の基布を伸縮性を有するものとすることを課題を解決するための手段としている。
【発明の効果】
【０００５】  本発明にかかる外用貼付剤は、形状を人足の踵を覆う形状とし、更に内面にはひび、あかぎれ等の創傷治癒促進剤の層を有し、しかも、基布は伸縮自在としているので、従来のように露出していると痛みを伴うあかぎれ等にグリセリン等を主体とした軟膏を塗布して、当該部位を適宜のテープにて覆う等の応急的な処置ではなく、内面に創傷治癒剤の層を有する外用貼付剤を人足の踵を覆う形状としているので、あかぎれ等が発症している踵を完全に覆うことができ、あかぎれが発症している部位が露出することはない。しかも、外用貼付剤の基布を伸縮性を有する基布としているので、人足の踵の大きさ、形状、足の左右に関係なく適合するものである等、極めて顕著なる種々の効果が得られるものである。
【発明を実施するための最良の形態】
【０００６】  基布を人足の踵を覆う形状に成形してなる外用貼付剤であり、更には、伸縮性を有する基布を人足の踵を覆う形状に成形すると共に、当該基布の内面には創傷治癒促進剤の層を設けてなる外用貼付剤を呈せんとするものである。
【実施例１】
【０００７】  先ず外用貼付剤１の基布２について説明する。基布２は充分な径皮吸収性を有し且つ伸縮性を有する基布を用いており、人足の踵に対応した形状、即ち、踵を覆い得る形状に成形されている。伸縮性を有する基布として本発明実施例においては、帝三製薬株式会社の開発になる厚みが１〜５０μで、１０％伸長時の弾性回復率が７０％以上のものであり、酢酸ビニルを０〜９０重量％、アルキル基の平均炭素数が４以上１４以下の（メタ）アクリル酸アルキルエステルを１０〜９７重量％、及び（メタ）アクリル酸を０〜１５重量％の割合で共重合して得られた共重合物からなるものであり、当該共重合物は、架橋が多価金属架橋の場合、架橋率は２０％以上であり、多官能基鎖状化合物架橋の場合、共重合率が１〜１０％である基布を用いている。当該基布の自己粘着力は１５０ｋｇ以下である。但し、本実施例の基布に限定されるものではなく通常この種の用途に用いられる伸縮性を有する基布であればよい。【０００８】  基布２の内面に層をもつ薬物含有粘着層３としては、ひび、あかぎれ等の創傷治癒促進効果を有する薬物含有粘着層３としている。従来、細胞賦活や創傷治療、即ちひび、あかぎれ等の改善に用いられる皮膚外用剤の薬効成分としては、一般にアラントイン及びその誘導体、シコンエキス、アロエエキス、人参エキス、プラセンタエキスなどが知られているが、本考案実施例においては、顕著な細胞賦活作用を有する皮膚外用剤として、株式会社コーセの開発にかかる水溶性ルチンと細胞賦活剤とを有効成分として含有する皮膚外用剤を用いている。即ち、水溶性ルチンがグリコシルルチンであり、細胞賦活剤としては、デオキシルボ核酸及びその塩、アデノシン三リン酸、アデノシン−リン酸等のアデニル酸誘導体及びそれらの塩等の核酸関連物質；血清除蛋白抽出物、脾臓抽出物、胎盤抽出物、鶏冠抽出物、ローヤルゼリー等の動物由来の抽出物、；酵母抽出物、乳酸菌抽出物、ビフィズ菌抽出物、霊芝抽出物等の微生物由来の抽出物；ニンジン抽出物、センブリ抽出物、ローズマリー抽出物、オウバク抽出物、ニンニク抽出物、ヒノキチオール、セファランチン等の植物性由来の抽出物、またはリノレイン酸、エイコサペンタエン酸及びそれらの誘導体、コハク酸及びその誘導体並びにそれらの塩、エストラジオール及びその誘導体並びにそれらの塩から選ばれる皮膚外用剤を用いている。但し、当該皮膚外用剤に限定を受けるものではなく、この種の用途に用いられる広範囲の皮膚外用剤でよい。本実施例に用いた基布２からなる貼付剤１の薬物含有粘着層３の厚みは３〜４００μとすることができる。
【産業上の利用可能性】
【０００９】  本発明にかかる外用貼付剤１は、形状を人足の踵を覆う形状とし、更に内面にはひび、あかぎれ等の創傷治癒促進剤の層３を有し、しかも、基布２は伸縮自在としているので、従来のように露出していると痛みを伴うあかぎれ等にグリセリン等を主体とした軟膏を塗布して、当該部位を適宜のテープにて覆う等の応急的な処置ではなく、内面に創傷治癒剤の層３を有する外用貼付剤１を人足の踵を覆う形状としているので、あかぎれ等が発症している踵を完全に覆うことができ、あかぎれが発症している部位が露出することはない。しかも、外用貼付剤１の基布２を伸縮性を有する基布としているので、人足の踵の大きさ、形状、足の左右に関係なく完全に適合するものである等、人足の踵に発症するひび、あかぎれ等の創傷治癒促進効果は極めて大きく利用可能性は極めて大である。
【図面の簡単な説明】
【００１０】
【図１】  踵に貼着した状態を示す側面図である。
【図２】  外用貼付剤の断側面図である。
【図３】  外用貼付剤の斜視図である。
【符号の説明】
【００１１】    １  外用貼付剤
２  基布
３  薬物含有粘着層
【図１】
2006141929.tif 000003
【図２】
2006141929.tif 000004
【図３】
2006141929.tif 000005
(57)【要約】      （修正有）【課題】車椅子入浴者を、座位の姿勢のままで入浴させる事が出来るのは勿論、それに加えて車椅子の身体障害者や老人、肢体不自由者の浴室搬送時にロ−リング等での不安、恐怖心を与える事無く、介護者の介助作業が容易になり、被介護者も安心と安全を感じられ、しかも屋内でのスペースを採らず、使用する湯量は少量で節約型の、特徴の簡易組み立て式車椅子入浴装置である。【解決手段】車椅子に載せた入浴者を車椅子ごと移送し、浴槽の定位置に誘導し、、浴槽装置の防水カバーを側枠にロープにて吊り上げ立設し、浴室を整え浴槽内部に湯を満たすことによって、被介護者に安心を与え、入浴者に疲労負担を懸けず、又介護者の労働負担を軽減することができる。【選択図】図４
2006141926.tif 000002
【特許請求の範囲】
【請求項１】
車椅子に載せたままの入浴者を移送浴槽の定位置に誘導して、四壁の防水カバーを、固定枠に架け、立設する特徴の簡易組み立て式車椅子入浴装置を提供。
【請求項２】
「請求項１」記載の入浴装置において、車椅子に載せたまま入浴者を移送させるのに誘導レール（１４）を設置、入浴者に負担をかける事なく入浴の定位置に、車椅子をとどめる事の出来る特徴の簡易組み立て式車椅子入浴装置の移送方法を提供。
【請求項３】
「請求項１」又は「請求項２」に記載の入浴装置において、四壁の防水カバーをロープにて吊上げ、浴槽を整え注排水ポンプ（３）にて既設浴槽（１）の温水を組み立て式浴槽（２）に給排水用ホース（５）注湯口（６）の機器により注湯することを、特徴とする簡易組み立て式車椅子入浴装置を提供。
【請求項４】
「請求項２」「請求項３」の入浴装置において、浴槽組み立て柱（８）セット枠（１３）四壁の防水カバーは二重構造に成し、各セクションに区切りエヤー口（７）よりエヤーを吹込み四壁の補強，強化、を計り水圧で抑え、保温を保つ特徴を有する、簡易組み立て式車椅子入浴装置を提供。
【請求項５】
「請求項３」又は「請求項４」の注湯は、半湯を張り入浴者を洗浄、給排水ポンプ（３）給排水コック（４）にて排水、更に被介護者をシャワーにて洗浄、再度湯張りする作業でも介護者の労力が軽減され、屋内の幅員も必要にせず、又湯量も節約できる特徴の、簡易組み立て式車椅子入浴装置を提供。
【発明の詳細な説明】
【発明の詳細な説明】
【技術分野】
【０００１】本発明は、主に身体障害者や病中病後退院者又は老人、肢体不自由者を車椅子に座位姿勢のまま誘導移送成し、更に車椅子にレールを組み合わせる事により、ローリングを防ぎ被介護者に不安を与えない然も、四壁を開放式にした特徴の入浴装置に関する。
【背景技術】
【０００２】通常の浴槽は上方が開放された箱型状とされており、入浴者は側壁をまたいだり、上方からホイスト、リフト又は介護者が抱え揚げたり等、入浴者を介助誘導するのに大変な苦労があります、身体障害等の人にとっても、入浴が困難で身体的にも大変な負担にある、そこで障害者にとっても、容易に入浴ができるよう次に示すような、車椅子と扉開閉式浴槽を組み合わせた入浴装置が開発されている、入浴者を載せた車椅子を押しながら、扉開閉式浴槽の開口につながる様に配置されたスロープを昇らなければ成らず、水滴で車椅子の横滑りがあったりして、介護者の介護作業は大変な労働をしいられる、又入浴者にてもローリング等の不安感と、恐怖感を与えている、又装置も大きく移動も困難で広大の場所が必要であります。【０００３】
【特許文献】  特許公開平７−２６５３７１  特許公開平７−２７５３１４
【発明の開示】
【発明が解決しようとする課題】
【０００４】上記問題を解決するに、車椅子の走行ルートに誘導用レールを敷き、老人及び弱者・身体障害者等の不案観を除去して介助、介護作業が安心、安全を特徴の簡易組み立て式車椅子入浴装置である。
【課題を解決するための手段】
【発明の効果】
【０００５】すなわち、入浴者を車椅子に載せ、レールにて誘導し四壁が完全に開放にした浴室の所定の位置に位置させる、更に安全を確認、其の後四壁をロープにて吊り上げセット成し、エヤーを送入口より吹き込みエヤーの張力により四壁を補強、浴槽本体の内部に湯を満たし保温を出来、車椅子上の入浴者を座位姿勢のままで洗浄が出来る、簡易組み立て式車椅子入浴装置を提供。
【発明を実施するための最良の形態】
【実施例】
【０００６】従来の簡易組み立て式の浴槽の四壁は内張り湯の圧力に耐え切れず異常に横に張り出し、不安定を感じられた、前述、「請求項４」に求めた四壁の防水シートは二重構造に成し、各セクションを区切り、エヤーを送入四壁の補強には、外枠にて強化を計り更に、保温を保つ特徴を有する、簡易組み立て式車椅子入浴装置を提供。【０００７】上記の目的を達成する為に、「請求項１」記載で車椅子に載せた入浴者を車椅子ごと移送成し、浴槽の定位置に誘導して、四壁が開放され、介護作業も容易で被介護者を安全に位置さす事が出来る、更に入口の誘導レールを取り外し、浴槽装置の防水カバーを側枠にロープにて吊上げ立設成し、浴室を整え浴槽内部に湯を満たす、簡易組み立て式車椅子入浴装置を提供。【０００８】車椅子乗車のまま浴室内の定位置に車掎子を定め、四壁の防水カバーをセットして完了し、又浴槽に半湯を張り被介護者を洗浄成し、湯を入れ替えて更に注湯して保温入浴成し、シャワーにて洗浄する特徴の簡易組み立て式車椅子入浴装置を提供。
【産業上の利用可能性】
【０００９】上記に示した洗浄後保温に関しては、軽量で折り畳み式のカバーを設置成し、頭の部位はオープンにし、開放的でリラックスが出来て保温は充分に保ち、快適な入浴感を提供する、しかも安価な製造費にて施工が可能で又湯量を節減成し、節水も出来る節約型特徴の、簡易組み立て式車椅子入浴装置を提供。【００１０】屋内にて簡単に浴槽を組立てて入浴が出来、広いスペースも必要とせず、被介護者に負担を掛けることなく又、介護者の労力も軽減できる、簡易組み立て式車椅子入浴装置を提供する。
（入浴専用の車椅子を使用する方が望ましい）
【図面の簡単な説明】
【図１】本発明に係る給湯装置の概略正面図
【図２】本発明に係る組み立て式浴槽装置の概略側面図
【図３】本発明に係る組み立て式浴槽装置の概略治具図
【図４】本発明に係る入浴の入浴シーン図
【図５】本発明に係る特許文献の参照図
【符号の説明】
１：  既設浴槽
２：  折り畳み式浴槽
３；  給排水用ポンプ
４；  給排水用コック
５；  給排水用ホース
６：  注湯口
７：  エヤー吹込み口
８：  浴槽組み立て柱
９：  浴槽組み立て用セット金具
１０：  底張り用治具
１１：  ブレーキレバー
１２：  サイド吊り上げ用ロープ
１３：  セット枠の全容
１４：  車椅子誘導レール
１５：  浴槽組み立てセット図
１６：  吊り上げ用滑車
１７：  吊り上げロープのフック
１８：  補強金具の取り付け治具
１９：  入浴シーン・車椅子
２０；  保温用浴槽蓋
【図１】
2006141926.tif 000003
【図２】
2006141926.tif 000004
【図３】
2006141926.tif 000005
【図４】
2006141926.tif 000006
【図５】
2006141926.tif 000007
(57)【要約】【課題】和装時の履物は通常草履等を履くが、袴衣装などで活動的な動作には草履が脱げるなど適さず、靴が適しているが和装と調和せずほとんど履かない。従来の靴の活動的な機能特徴を生かし、靴はそのまま使い和装の衣装に調和する靴飾りを容易に取り付けることにより、和装に履ける靴飾りを提供することを目的とする。【解決手段】従来の靴をそのまま使い、靴の活動的機能を生かしながら、布等の薄く柔らかい素材でできた和装に合う色、柄の靴飾りを、靴の一番目立ちやすい靴前方上面に覆うように取り付けることで、和装に調和する靴に容易に替えることができる。靴飾りは、靴紐最上部の紐に通し前方に折り返してスナップボタンで止めることで、着脱も容易な靴飾りを提供することである。【選択図】  図２
2006141927.tif 000002
【特許請求の範囲】
【請求項１】
従来の靴は洋装の着用時を基本に製作されている。従来の靴をそのまま使い、靴の活動的機能を生かしながら、靴飾りを和装時に調和する色、柄にし、靴の一番目立ちやすい靴前方上面に効果的に覆うように取り付けることにより和装に適した靴に変化できることを特徴とする靴飾り。
【請求項２】
従来の紐靴の靴紐最上部に布等の薄く柔らかい素材でできた靴飾りの一端を通し、靴飾りの中ほどで重ねるようにして折り返し、靴飾りの両端裏側に付けたスナップボタンで止める方式で、着脱も容易にできることを特徴とする靴飾り。
【請求項３】
靴飾り表面と靴飾り裏面の折り返し長さを変えることにより、靴飾り先端部で靴飾りの色、柄の異なった意匠効果を表現することができる。
【発明の詳細な説明】
【技術分野】
【０００１】本発明は、靴飾りに関し、和装に合う靴に意匠を替えるために、靴上面の靴紐を利用し、靴飾りを容易に着脱することができる靴飾りに関する。
【背景技術】
【０００２】従来の靴は洋装時の履物が基本で、和装に合う靴はほとんどなく、和装時に合う靴に靴上面の色、柄を容易に替えることができなかった。
【発明の開示】
【発明が解決しようとする課題】
【０００３】和装時の履物は通常草履等を履くが、袴衣装などで活動的な動作には草履が脱げるなど適さず、靴が適しているが和装と調和せずほとんど履かない。従来の靴の活動的な機能特徴を生かし、靴はそのまま使い和装の衣装に調和する靴飾りを靴紐に容易に取り付けることにより、簡易に着脱可能な靴飾りを提供することを目的とする。
【課題を解決するための手段】
【０００４】従来の靴をそのまま使い、靴の活動的機能を生かしながら、和装に合う色、柄の靴飾りを靴の一番目立ち易い靴前方上面に効果的に覆うように取り付けることにより、和装に調和する靴に容易に替えることができることを特徴とする靴飾り。【０００５】従来の紐靴の靴紐最上部に、布等の薄く柔らかい素材でできた靴飾りの一端を通す。靴飾りの中ほどで前方に重ねるようにして折り返し、靴飾りの両端裏側に付けたスナップボタンで止める方式で着脱も容易にできることを特徴とする靴飾り。【０００６】靴飾りの折り返した表面は和装に調和する色、柄の意匠で構成し、靴飾り表面と靴飾り裏面の折り返し長さを変えることにより、靴飾りの色、柄の異なった意匠効果を表現することができることを特徴とする靴飾り。
【発明の効果】
【０００７】本考案の靴飾りは従来の靴を使い、靴前部上面を布等の和装柄の靴飾り意匠を付けることにより、靴の活動的機能を保ちながら、和装着用時に調和する靴に容易に替えることができる。靴飾りは、靴紐最上部の紐に通し前方に折り返してスナップボタンで止めることで、着脱も容易な靴飾りを提供することができる。
【発明を実施するための最良の形態】
【０００８】以下、本発明の実施の形態を図に基づいて説明する。
【実施例】
【０００９】本考案の靴飾りは、図１の布地等の柔らかな素材を表、裏面２枚重ねにし、周囲を縫い合わせて靴飾り裏面１ａの両端近くに、スナップボタン凸２とスナップボタン凹３を布面に固着させる。靴飾り表面１ｂからはスナップボタン凸２とスナップボタン凹３は見えず色、柄のある表面となる。【００１０】靴飾りの固定は図２の靴紐最上部５の下側を通し靴飾りのほぼ中ほどで前方に重ねるようにて折り返し靴上面の結び紐６、靴紐４を覆い隠し、スナップボタン凸２をスナップボタン凹３に止める。靴飾りはスナップボタンで止める方式で着脱が容易にできる。【００１１】靴に靴飾りを取り付けた状態を示す図３のように、靴飾り表面１ｂと靴飾り裏面１ａは重なり靴紐最上部５から足先被部８にかけて靴上面を覆う。靴飾り裏面１ａより靴飾り表面１ｂの折り返し長さを短くすることにより、靴飾り先端部で靴飾りの色、柄の異なった意匠効果を表現することができる。
【図面の簡単な説明】
【００１２】
【図１】    （ａ）は靴飾りの裏面図（ｂ）は靴飾り表面の平面図
【図２】    靴飾りを靴紐最上部に通した状態を示す斜視図
【図３】    靴飾りを靴に取り付けた状態を示す斜視図
【符号の説明】
【００１３】      １ａ・・・・・靴飾り裏面
１ｂ・・・・・靴飾り表面
２・・・・・・スナップボタン凸
３・・・・・・スナップボタン凹
４・・・・・・靴紐
５・・・・・・靴紐最上部
６・・・・・・結び紐
７・・・・・・甲被部
８・・・・・・足先被部
【図１】
2006141927.tif 000003
【図２】
2006141927.tif 000004
【図３】
2006141927.tif 000005
(57)【要約】【課題】従来のランドセルカバーでは、防犯ベル所持が周囲にわからないという問題があった。これは、標語等を表示していなかったためである。【解決手段】ランドセルカバーの外観に防犯ベル所持をアピールするような標語をプリントすることにより周囲から一目で確認することができる。【選択図】    図１
2006141972.tif 000002
【特許請求の範囲】
【請求項１】
小学生又は児童が通学等に使用しているランドセルの後方より目につきやすい部分に
・防犯ベルをもっています
・防犯ベル所持
・注  防犯ベル所持
・ＳＥＣＵＲＩＴＹ  ＡＬＡＲＭ
・ＷＡＲＮＩＮＧ
等防犯ベル等の所持をアピールするような標語をプリントしたランドセルカバー。
【発明の詳細な説明】
【技術分野】
【０００１】本発明は未然に犯罪を防止するための防犯に関する。
【背景技術】
【０００２】従来のランドセルカバーは、ランドセルを雨や日光からの劣化防止等の役割をしている。
【発明の開示】
【発明が解決しようとする課題】
【０００３】以上に述べた従来のランドセルカバーでは防犯ベルを所持していても周囲からはわからない。【０００４】本発明はこのような問題点を解決しようとするものであり、周囲に防犯ベル所持を効果的にアピールして犯罪抑制を目的とするものである。
【課題を解決するための手段】
【０００５】そして、本発明は上記目的を達成するためにランドセルカバーに
・防犯ベルをもっています
・防犯ベル所持
・注  防犯ベル所持
・ＳＥＣＵＲＩＴＹ  ＡＬＡＲＭ
・ＷＡＲＮＩＮＧ
等防犯ベル等の所持をアピールするような標語をプリントしたランドセルカバー。
【発明の効果】
【０００６】上述したように本発明のランドセルカバーは、周囲から防犯ベルを所持しているのが一目で確認でき多数所持して頂くことにより地域全体の防犯意識の向上にも効果的である。
【発明を実施するための最良の形態】
【０００７】以下、本発明の実施の形態を図１に基づいて説明する。【０００８】図においては、１は防犯ベル等の所持をアピールする標語である。【０００９】２は夜間等暗所用の反射板である。
【図面の簡単な説明】
【００１０】
【図１】  本発明の実施形態を示すランドセルカバーの外観図
【符号の説明】
【００１１】１  標語
２  反射板
【図１】
2006141972.tif 000003
(57)【要約】【課題】  本発明は、球の送り出しを可能にすることにより、いままでにないスリリングなボールゲームが可能となり、ビリヤードとボーリングを合わせた新規なボールゲームを提供する。【解決手段】球送り出し機構の底に少しのくぼみを設け、球送り出し機構の幅と奥行きをボールが１個しか入らない大きさにし、使用するボールを少し重みのあるものにすることによって、ボールが１個入れば、球送り出し機構の底に止まり、もう１個入れると、ボールが入れ替わることのできるように構成した遊戯用球送り出し機構。【選択図】  図２
2006141971.tif 000002
【特許請求の範囲】
【請求項１】
球送り出し機構の底に少しのくぼみを設け、球送り出し機構の幅と、奥行きをボールが１個しか入らない大きさにし、使用するボールを少し重みのあるものにすることによって、ボールが１個入れば、球送り出し機構の底に止まり、もう１個入れると、ボールが入れ替わることが出来るように構成した遊戯用球送り出し機構。
【発明の詳細な説明】
【技術分野】
【０００１】本発明は、球の送り出しを可能にすることにより、今までにないスリリングなボールゲームが可能となり、ビリヤードとボーリングを合わせた新規なボールゲームに関するものである。
【技術背景】
【０００２】従来のボールゲームは、一人でゴールや得点ゾーンに入れたり、または対戦をとうしてゴールや得点ゾーンに入れたりすることで、得点をプラスしてどちらが得点が多いかを競うゲームが多かった。
【発明の開示】
【発明が解決しようとする課題】
【０００３】このようなゲームは、得点をプラスしていくだけの単純なものが多く、また、得点が入るたびにゲームの流れが小さく止まることが多く、飽きやすい傾向がある。
【課題を解決するための手段】
【０００４】上記欠点を解消するための本発明は、球送り出し機構の底に少しのくぼみを設け、球送り出し機構の幅と、奥行きをボールが１個しか入らない大きさにし、使用するボールを少し重みのあるものにすることによって、ボールが１個入れば、球送り出し機構の底に止まり、もう１個入れると、ボールが入れ替わることの出来るように構成したものである。
【発明の効果】
【０００５】本発明はボールが入れ替わる仕組みを作ったことにより、１度得点ゴールに入れたとしても、対戦相手に入れ替えられる可能性があり、また相手のボールを落として自分のボールを入れることで、形勢が逆転することもありハラハラ、ドキドキするゲームである。
【発明を実施するための最良の形態】
【０００６】以下、本発明の実施の形態を説明する。
（イ）  球送り出し機構上体部分（２０）と、球送り出し機構下体部分（２１）を接着する。
（ロ）  出来た球送り出し機構（１９）を、ボール引っ掛け用レーン３点用（１７）と、ボール引っ掛け用レーン１点用（１６）に接着する。そして、それらをゴール本体（３）に接着する。
（ハ）  出来たゴール本体（３）を、本体レーン（６）の後ろにセットする。さらに、落とされた球をはこぶレーンと球入れ（４）を〔図１〕のように設置する。
本発明は、以上の構成よりなっている。
本発明を使用するときは、白のボール（９）と、黒のボール（１０）に別れて対戦をする。（色が違えばボールの色は何色でもよい。また球の数は、あらかじめ決めておく）
対戦の仕方は、白側、黒側、交互に打つ。スタートライン（８）にボールを置いてステック（１２）で狙いを定めて打つ。相手のボールを落とし、自分のボールに入れ替えることを、お互いの目的としてゲームを競う。
【図面の簡単な説明】
【０００７】
【図１】本発明の全体斜視図
【図２】本発明のゴールゾーン断面図
【図３】本発明の球送り出し機構正面図
【図４】本発明の球送り出し機構斜視図
【図５】本発明の球送り出し機構分解斜視図
【図６】本発明のゴールゾーン分解斜視図
【符号の説明】
【０００８】  １、  １点ゴール
２、  ３点ゴール
３、  ゴール本体
４、  落とされた球をはこぶレーンと球入れ
５、  底板
６、  本体レーン
７、  レーンのワク
８、  スタートライン
９、  白いボール
１０、黒いボール
１１、ボール置き
１２、ステック
１３、球送り出し機構の奥行き
１４、球送り出し機構の底の少しのくぼみ
１５、球を上げるためのゴール本体斜面
１６、ボール引っ掛け用レーン１点用
１７、ボール引っ掛け用レーン３点用
１８、球送り出し機構の正面の幅
１９、球送り出し機構
２０、球送り出し機構上体部分
２１、球送り出し機構下体部分
【図１】
2006141971.tif 000003
【図２】
2006141971.tif 000004
【図３】
2006141971.tif 000005
【図４】
2006141971.tif 000006
【図５】
2006141971.tif 000007
【図６】
2006141971.tif 000008
(57)【要約】      （修正有）【課題】従来のトイレットペーパーホルダーは取り出しにくく、切り取りにくいので幼児や手の不自由な老人の人達には扱かいにくいという問題があった。取り出しや、切り取りやすくすることを実現する。【解決手段】蓋の取り付け部を長穴にして取り外しを簡単にし、蓋の前端を刃形にしてペーパーを蓋の上に通してロールペーパーの前方の下の方でミシン目の所で切り離すようにした。これにより取り出し口が長くなり、取り出しが簡単になった。【選択図】図４
2006141974.tif 000002
【特許請求の範囲】
【請求項１】
蓋の取外しを簡単にする為に、側板に切欠を設けたトイレツトペーパーホルダー。
【請求項２】
蓋の前端を刃形にし、取付部のペーパが通る所を円形状にして負荷がかからないようにした蓋を設けたトイレツトペーパーホルダー。
【請求項３】
ペーパーを蓋の端で切り取るのではなくロールペーパーの前方の下の方でミシン目の所で切り離すようにしたトイレツトペーパーホルダー。
【請求項４】
ミシン目付トイレツトペーパーを使用するトイレツトペーパーホルダー。
【請求項５】
蓋の折れ曲がり部をロールペーパーの中心にして、ペーパーを切り離す時ペーパがすべり出ないように負荷がかかるようにした蓋を設けたトイレツトペーパーホルダー。
【発明の詳細な説明】
【技術分野】
【０００１】本発明は、清潔、又取り扱いを容易にするトイレツトペーパーに関する。〔背景技術〕【０００２】従来のトイレツトペーパーホルダーは、ペーパーのミシン目を利用せず、取出口が短かくなるように施したものがある（例えば特許文献１参昭）またペーパーが取出部の板にくっついてしまう装置のものがある。（例へば、特許文献２参照）【０００３】〔特許文献１〕実開平６−７０６９８〔特許文献２〕実開平７−４５００１〔発明の開示〕〔発明が解決しようとする課題〕【０００４】以上に述べた従来のトイレツトペーパーホルダーは切りにくく、取り出し分が小さいので取り出しにくい。又ミシン目付ペーパーが出回っていない時の装置である。【０００５】本発明はこのような従来の構成が有していた問題を解決しようとするものであり切取りやすく取り出しやすくすることを実現することを目的とするものである。〔課題を解決するための手段〕【０００６】そして本発明は上記目的を達成するために、蓋を取り外せるようにして蓋の上にペーパーを通し、又、蓋の前端を刃形にして、切り離す時蓋がロールペーパーを押さえて、ロールペーパーの前方の下の方で引張って切離すようにした装置である。〔発明の効果〕【０００７】切り取る作業が入らず取出口が大きくて、幼児や体の不自由な老人の人達にも簡単に扱かえるトイレツトペーパーホルダーを提供出来る。〔発明の実施するための最良の形態〕【０００８】以下本発明の実施の形態を図１〜図４に基づいて説明する。【０００９】Ａは前端部を刃形にし、後部は円形状にして、両側にとつ部を設けペーパーロールの最上部が当たる所を曲げた蓋である。【００１０】Ｂは後部の上部に切欠を設け、Ａの取外しの出来る両側板である【００１１】以下上記構成の動作を説明する。Ａの後部から出したペーパーは蓋Ａの上を通って、前端部を通り、ペーパーをペーパーロールの前方の下の方で引張ると蓋Ａが外れようとするが切欠部により外れず、又ペーパーを引張るとペーパーがすべろうとするが、蓋の曲がりの部がペーパーロールをおさえることによりペーパーロールが回らない、又前端部の刃形の部はペーパーロールが最大の時、少し前の位置に設置してある為、取り出しやすくなる。〔実施例〕【００１２】ロールペーパーの前部の下の方でペーパーを引っ張ればペーパーのミシン目の所で切離れる。以上のように本実施形態によればペーパーを切り取らず、取出やすく、ペーパーしかさわらないので大変清潔感も得られるものである。
【図面の簡単な説明】
【００１３】
【図１】本発明の側面図
【図２】側板の側面図
【図３】蓋の外観図
【図４】本発明の実施形態を示すトイレツトペーパーホルダーの外観図
【符号の説明】
【００１４】Ａ  蓋Ｂ  側板
【図１】
2006141974.tif 000003
【図２】
2006141974.tif 000004
【図３】
2006141974.tif 000005
【図４】
2006141974.tif 000006
(57)【要約】【課題】従来はグローブアカスリ、浴用タオルは別々だった。それを一体として便利なアカスリを提供する。【解決手段】グローブアカスリの袖口に浴用タオルを付けた事を特徴とする。【選択図】図１
2006141973.tif 000002
【特許請求の範囲】
【請求項１】
グローブ型アカスリの袖口に浴用タオルを付けた物．
【発明の詳細な説明】
【技術分野】
【０００１】  この発明はグローブアカスリに浴用タオルを付けた物である。【０００２】  従来グローブアカスリ、浴用タオルは別々になっていた。
【発明の開示】
【発明が解決しようとする課題】
【０００３】  これは次のような間題点があった。
グローブ型アカスリを使用する場合、背中等、手の届かない所は洗えない、また使用後干す場合洗濯バサミなどで干していた。
以上の欠点をなくすためなされた発明である。
【課題を解決するための手段】
【０００４】  グローブアカスリの袖口に浴用タオルを付ける。
以上の構成による発明である。
【発明の効果】
【０００５】  グローブ型アカスリと浴用タオルが一体となっているため背中等手の届かない所は、浴用タオルで洗える、また使用後干す場合、タオル掛けなどに簡単に干す事が出来る。
【発明を実施するための最良の形態】
【０００６】以下、本発明の実施例について説明する。
グローブ型アカスリ〔１〕に浴用タオル〔２〕を付ける。
グローブ型アカスリには、五本指の手袋・鍋つかみの形態の物がある。
【図面の簡単な説明】
【０００７】図１  本発明の正面図である。
【符号の説明】
【０００８】１  グローブアカスリ
２  浴用タオル
【図１】
2006141973.tif 000003
【図２】
2006141973.tif 000004
【手続補正書】
【提出日】平成17年2月28日(2005.2.28)
【手続補正１】
【補正対象書類名】図面
【補正対象項目名】図２
【補正方法】削除
【補正の内容】
(57)【要約】【課題】地震対策用、特に家具引き出しの、ロック装置は現時点問題がある、ロック装置が、大きすぎて引き出しに物を入れるのも邪魔になり不便さを感じる。また、二分割ロック方法なので芯出しが難しく簡単に取り付けられない、又、構造が複雑すぎる、【解決手段】地震対策用、解決手段として、このロック装置は小型軽量、構造簡単、壊れにくい、低コスト、取り付け位置合わせが簡単にでき、女性でも簡単に取り付けられる、地震対策用として、分銅型摩擦ロック装置の提供を目的する。【選択図】図１
2006141975.tif 000002
【特許請求の範囲】
【請求項１】
装置本体内に組み込まれた、スイングアーム及び先端に設けた、分銅と、摩擦を増す為に、歯車型溝を設け地震時、飛び出す引き出しの、反動を利用しスイングアームが逆方向に移動、飛び出す引き出しの棚本体上面に食い付き、突き上げ反動で下降方向に強く働く力を利用し、引き出し底面と、棚上面との突き上げ摩擦力により、飛び出す引き出しをロックする。引き出し専用ロック装置を特徴とする。
【発明の詳細な説明】
【技術分野】
【０００１】本発明は、地震時に、家具棚の引き出し等が、飛び出ないようにする、ロック方法に関するものである。
【背景技術】
【０００２】従来のロック装置は、二分割装置で簡単に取り付が出来なく、価格高い、一般家庭では家具棚の数は多く、装置を設置するにも、経済的負担も大きい。
【特許文献１】
【非特許文献１】
【発明の開示】
【発明が解決しようとす課題】
【０００３】従来のロツク装置本体は、二分割装置なので、芯出し取り付けが難しく構造が複雑で価格も高い、装置が大きく出っ張り部分が手に当り怪我をする問題を解決しようとするものである。
【課題を解決するための手段】
【０００４】本発明は、ロック装置本体は一個型装置で、小型軽量、構造が簡単、芯出しが無く、価格が安く、女性でも簡単取り付けられる、一般家庭で装置を設置するにも経済的負担が小さい。一個型装置なので問題を解決している。
【発明の効果】
【０００５】本発明は、地震時に起きる、家具、棚、引き出し等の飛び出しを、確実にロックする、引き出し専用ロック装置で、特に分銅と摩擦を利用したスイングアームが、地震時の慣性で、飛び出てくる、引き出しを、ロック状態する。又、ロック解除は引き出しを押す事でロック解除をする。
【発明を実施するための最良の形態】
【０００６】本ロック装置は引き出し内、側面奥に、取り付けるので、物の出し入れにも問題無く、手に当ることが無い、通常引き出しの使用では良好な開け閉めができる、地震時に引き出しが、飛び出ない限り、本ロック装置は作動しない。検査方法は早く引き出しを開けると、ロック確認ができる。
【実施例】
【０００７】
【図１】
１と２は強化プラスチックス等素材にて成型されたロック装置。装置本体１にスイングアーム２と、スイングアーム支持ピン５を装着、２のスイングアーム先端に歯車式溝が造られている３と、分銅４金属が圧入されている。
【０００８】図４のロック状態を説明する。１ａ地震時引き出し本体が、一方向に飛び出ると、８ａのスイングアームが反動で逆方向に移動２ａの家具上側面にアーム先端が接触２ａと８ａとの食付き突張りが起き反動で引き出しが下側に押され、３ａと４ａとの強力な摩擦力でロック状態造る。
【図面の簡単な説明】
【０００９】
【図１】本発明の実施形態を示すロック装置の部分断面図である。
【図２】ロック装置の立体図
【図３】地震前を示す断面図
【図４】地震後のロック状態示す断面図
【符号の説明】
【００１０】１    本体部分
２    スイングアーム
３    歯車式溝（セレーション）
４    分銅（錘）
５    スイングアーム支持ピン
６    引き出し側面に取り付けるビス穴
７    スイングア−ム、オ−バラン防止ストツパ−
１ａ  飛び出た引き出しを示す
２ａ  家具棚上部面を示す
３ａ  引き出し下側面を示す
４ａ  家具棚下側面示す
５ａ  引き出し前正面
６ａ  家具棚本体
７ａ  引き出し前側戸手
８ａ  スイングアーム
【図１】
2006141975.tif 000003
【図２】
2006141975.tif 000004
【図３】
2006141975.tif 000005
【図４】
2006141975.tif 000006